(57)【要約】【課題】  トイレブースで電波を送信するトイレ装置とその周辺機器との電波通信において、電波の定在波の影響を回避すること。【解決手段】  人体の局部を洗浄する洗浄機能を制御する制御部と、制御部の制御信号に基づいて電波信号を送信する電波信号送信手段と、制御部及び電波信号送信手段を内部に収納する筐体とを備えたトイレ装置と、トイレ装置から送信される電波信号によって制御され、トイレブース内に設置される周辺機器とを備えたトイレ装置システムにおいて、トイレ装置はトイレブースに配置された便器に設置され筐体前端部を便器上の便座部側に配置すると共に、筐体の後端背面部に電波信号送信手段より放射される電波信号を反射する帯状の電波反射部材を有し、筐体の後端一側面近傍から後端他側面近傍にかけて設けられた。【選択図】  図４
2009174190.tif 000002
【特許請求の範囲】
【請求項１】
人体の局部を洗浄する洗浄機能を制御する制御部と、前記制御部の制御信号に基づいて電波信号を送信する電波信号送信手段と、前記制御部及び前記電波信号送信手段を内部に収納する筐体とを備えたトイレ装置と、前記トイレ装置から送信される前記電波信号によって制御され、トイレブース内に設置される周辺機器とを備えたトイレ装置システムにおいて、
前記トイレ装置はトイレブースに配置された便器に設置され前記筐体前端部を前記便器上の便座部側に配置すると共に、前記筐体の後端背面部に前記電波信号送信手段より放射される電波信号を反射する帯状の電波反射部材を有し、前記筐体の後端一側面近傍から後端他側面近傍にかけて設けられたことを特徴とするトイレ装置システム。
【請求項２】
人体の局部を洗浄する洗浄機能を制御する制御部と、前記制御部の制御信号に基づいて電波信号を送信する電波信号送信手段と、前記制御部及び前記電波信号送信手段を内部に収納する筐体とを備えたトイレ装置と、前記トイレ装置から送信される前記電波信号によって制御されるトイレブース内に設置される周辺機器とを備えたトイレ装置システムにおいて、
前記トイレ装置はトイレブースに配置された便器に設置され前記筐体前端部を前記便器上の便座部側に配置すると共に、前記筐体の底面部の周辺に前記電波信号送信手段より放射される電波信号を反射する帯状の電波反射部材を有し、前記筐体の底面の一側面近傍から底面の他側面近傍にかけて設けられたことを特徴とするトイレ装置システム。
【請求項３】
前記電波信号送信手段より送信する電波信号は、微弱電波方式の搬送波周波数であり、前記電波反射部材の長辺は前記搬送波周波数の１／２波長相当以上の長さであることを特徴とする請求項１又は２に記載のトイレ装置システム。
【請求項４】
前記電波反射部材は、アルミテープで構成され前記筐体に貼付されることを特徴とする請求項１〜３のいずれか１項に記載のトイレ装置システム。
【請求項５】
外部に電波信号を送信する電波信号送信手段と、前記電波信号送信手段を内部に収納する筐体とを有する第１の装置と、前記第１の装置から送信される前記電波信号を受信する電波信号受信手段を備えた第２の装置とからなるトイレ装置システムにおいて、
前記第１の装置は、前記電波信号を反射する電波反射部材を、前記筐体に対して取り外し可能、且つ前記筐体を構成する面のうち、前記第２の装置と相対しない面に設けたことを特徴とするトイレ装置システム。
【発明の詳細な説明】
【技術分野】
【０００１】
本発明は、衛生洗浄装置などのように便器に設置されるトイレ装置と、このトイレ装置の制御状態に応じてトイレブース内に設けられた周辺機器を制御するための電波信号を送信するトイレ装置システムの技術に関する。
【背景技術】
【０００２】
近年、便器を設置したトイレブースには、その快適さから、洗浄機能、乾燥機能、脱臭機能などの各種機能を有する衛生洗浄装置と呼ばれるトイレ装置が取り付けられてきている。
【０００３】
また、この種のトイレ装置の周辺機器として、トイレブース内に設けられた音情報再生装置から音楽を流したり、トイレブース内を暖める室内暖房装置や手洗い用の電気温水器を作動させたりしてトイレ装置システムと快適性を向上させている。（たとえば、特許文献１参照。）。
【０００４】
そして、トイレ装置において、利用者が利用している状況やトイレ装置が電気ヒータを通電制御している状態に合わせて、トイレブース内の周辺機器の動作をコントロールしている。たとえば、トイレブース内の電気配線の電流容量を超えないように周辺機器の消費電力の制限や使用者の入室動作に応じて周辺機器（音情報再生装置）の再生開始や退室に伴うその停止などである。
【０００５】
また、それらの周辺機器とは、無線で行うことでトイレ装置と周辺機器との配線をなくすことで周辺機器とレイアウトの自由度が増加するので市場でも好まれている。さらに、無線通信では、一般に電波を用いた電波通信を行うことの方が、赤外光で行う赤外線通信に比べて到達範囲や消費電力を低減することができることから、電波を利用したものが増加してきている。
【０００６】
赤外線を利用するトイレ装置は、赤外線出力用ＬＥＤによる赤外線による通信を行っているため、その赤外光の直進性のために、その送信部と受信部との相対的な位置的な制約も多い。一方で、電波を用いた無線通信は、赤外線通信に比べて消費電力を低減でき、位置的な制約も少ないことから、電波を利用した機器が増加してきている。
【０００７】
以上のように、無線で周辺機器を制御するためのトイレ装置として、特許文献１のように赤外線を利用するものと、特許文献２のように電波を利用するものがある。
【０００８】
【特許文献１】特開２００３−３０１５０２号公報
【特許文献２】特開平５−１５４７２号公報
【発明の開示】
【発明が解決しようとする課題】
【０００９】
ところが、電波を用いた無線通信を閉じられた狭い空間で使用する場合、特にトイレ装置システムの場合、標準的な寸法で奥行き（１２３５〜１６９０ｍｍ）×間口（７８０〜１２８０ｍｍ）で、閉じられた空間である。そして、よく使う微弱電波のＵＨＦ帯の搬送周波数を３００ＭＨｚ近傍で使用すると、ちょうどこの波長が１０００ｍｍであるので、トイレブースの壁と壁との距離とこの波長が一致してしまう。そのため、トイレ装置からトイレブース内の周辺機器へ電波信号を送信すると、この無線信号がトイレブースの壁面等に反射することで、直進波と反射波により定在波が発生してしまう場合がある。
【００１０】
そのために、トイレ装置と周辺機器とは施工時の取付け位置によって決まるある所定の設置状態では、定在波が発生し、電波信号と反射信号とが干渉して互いに打ち消し合ってしまい、周辺機器が電波信号を受信できないといった問題が生じる。
【００１１】
しかし、これらの機器は、設置してしまうと互いに位置を移動させることが施工工事をやり直すこととなるので困難である。そのため、施工時にトイレ装置と複数の周辺機器との取付け位置を最も良好に電波信号を受信できる位置にする必要があるが、現実的にはそれを配慮した位置に設置するのは手間であった。
【００１２】
さらに、トイレ装置により制御されるトイレブース内に設置される周辺機器（音情報再生装置、室内暖房装置、電気温水器等）は、利用者の背部側は便器のロータンクが設けられていることから、前面壁や左側壁面又は右側壁面に取付けられる場合が多い。
【００１３】
そのため、トイレ装置から後方へ送信するその微弱電波を前方又は側方へ反射させての電波強度を大きくしたり、また電波信号を乱反射させることで、定在波の影響を小さくする必要がある。
【００１４】
そこで、電波を用いたトイレ装置とトイレブース内に設置された周辺機器との電波通信を行うトイレ装置システムにおいて、トイレ装置の前方の電界強度の不足やトイレブース内で発生する定在波の影響を回避することができるトイレ装置システムを提供することを目的とする。
【課題を解決するための手段】
【００１５】
請求項１に記載の発明は、人体の局部を洗浄する洗浄機能を制御する制御部と、前記制御部の制御信号に基づいて電波信号を送信する電波信号送信手段と、前記制御部及び前記電波信号送信手段を内部に収納する筐体とを備えたトイレ装置であって、前記トイレ装置から送信される前記電波信号によって制御されるトイレブース内に設置される周辺機器とを備えたトイレ装置システムにおいて、前記トイレ装置はトイレブースに配置された便器に設置され前記筐体前端部を前記便器上の便座部側に配置すると共に、前記筐体の後端背面部に前記電波信号送信手段より放射される電波信号を反射する帯状の電波反射部材を有し、前記筐体の後端一側面近傍から後端他側面近傍にかけて設けられたことを特徴とする。
【００１６】
また、請求項２に記載の発明は、人体の局部を洗浄する洗浄機能を制御する制御部と、前記制御部の制御信号に基づいて電波信号を送信する電波信号送信手段と、前記制御部及び前記電波信号送信手段を内部に収納する筐体と、を備えたトイレ装置と有し、前記トイレ装置から送信される前記電波信号によって制御されるトイレブース内に設置される周辺機器とからなるトイレ装置システムにおいて、前記トイレ装置はトイレブースに配置された便器に設置され前記筐体前端部を前記便器上の便座部側に配置すると共に、前記筐体の底面部の周辺に前記電波信号送信手段より放射される電波信号を反射する帯状の電波反射部材を有し、前記筐体の底面の一側面近傍から底面の他側面近傍にかけて設けられたことを特徴とする。
【００１７】
また、請求項３に記載の発明は、前記電波信号送信手段より送信する電波信号は、微弱電波方式の搬送波周波数であり、前記電波反射部材の長辺は前記搬送波周波数の１／２波長相当以上の長さであることを特徴とする。
【００１８】
また、請求項４に記載の発明は、前記電波反射部材は、アルミテープで構成され前記筐体に貼付されることを特徴とする。
【００１９】
また、請求項５に記載の発明は、外部に電波信号を送信する電波信号送信手段と、前記電波信号送信手段を内部に収納する筐体とを有する第１の装置と、前記第１の装置から送信される前記電波信号を受信する電波信号受信手段を備えた第２の装置とからなるトイレ装置システムにおいて、前記第１の装置は、前記電波信号を反射する電波反射部材を、前記筐体に対して取り外し可能、且つ前記筐体を構成する面のうち、前記第２の装置と相対しない面に設けたことを特徴とする。
【発明の効果】
【００２０】
請求項１に記載の発明によれば、トイレ装置の筐体後端部側に電波反射部材を配置したので、筐体内に内蔵された電波信号送信手段から後方に放射される電波を前方に放射することになる。その結果、トイレ装置からトイレブース内の周辺機器に送信される電波信号は、トイレブース内で発生する定在波の影響を避けて、周辺機器の受信状態を良好にすることができる。
【００２１】
また、請求項２に記載の発明によれば、筐体の底面部の一側面近傍から底面部の他側面近傍にかけて導電部材を配置したので、電波信号送信手段から底面部に放射される電波を前方に放射することになる。その結果、トイレ装置からトイレブース内の周辺機器に送信される電波信号は、トイレブース内で発生する定在波の影響を避けて、周辺機器の受信状態を良好にできる。
【００２２】
また、請求項３に記載の発明によれば、前記電波信号送信手段より送信する電波信号は、微弱電波方式の搬送波周波数であり、前記電波反射部材の長辺は前記搬送波周波数の１／２波長相当以上の長さであるので、八木アンテナ効果（「八木アンテナ」は登録商標）により搬送波周波数の電波信号を効率よく反射できる。
【００２３】
また、請求項４に記載の発明によれば、前記電波反射部材は、アルミテープで構成され前記筐体に貼付されることで、安価で簡便に筐体の外表面に装着できる。
【００２４】
また、請求項５に記載の発明によれば、外部に電波信号を送信する電波信号送信手段を有する第１の装置に、電波信号を反射する電波反射部材を取り外し可能、且つ第１の装置の筐体を構成する面のうち、第２の装置と相対しない面に設けたので、筐体内に内蔵された電波信号送信手段から放射される電波を第２の装置の方向に放射することになる。その結果、第１の装置からトイレブース内の第２の装置に送信される電波信号は、トイレブース内で発生する定在波の影響を避けて、第２の装置の受信状態を良好にすることができる。
【発明を実施するための最良の形態】
【００２５】
以下、本発明の最良の実施形態を図面に基づいて説明する。図１は本実施形態におけるトイレ装置システムの全体構成図である。
以下、本実施形態に係るトイレ装置システムの一実施形態について、図面を参照して具体的に説明する。
【００２６】
図１は、本実施形態に係るトイレ装置システムを採用したトイレブースを示す斜視図であり、図２は、トイレ装置（衛生洗浄装置）の電気的構成を示す機能ブロック図であり、図３は、音情報再生装置の電気的構成を示す機能ブロック図である。図４は、トイレ装置を上面、側面、背面より見た図であり、電波反射部材が背面に貼り付けられてあり、図５は、トイレ装置を上面、側面、底面より見た図であり、電波反射部材が底面に貼り付けられている。
【００２７】
（トイレ装置システム構成）
図１に示すように、トイレ装置システム１は、トイレブース２に設置されている便器３に取付けられたトイレ装置（ここでは衛生洗浄装置として説明）４と、トイレブース２の壁面に取付けられた電子機器である音情報再生装置６やトイレブース内の室内を暖房する室内暖房装置６等とを備えている。
【００２８】
（トイレ装置の概略）
ここで、トイレ装置としては、衛生洗浄装置や暖房便座など便器に取り付けて使用する機器を言う。ここでは、衛生洗浄装置について、実施例を説明する。衛生洗浄装置４は、衛生洗浄装置本体７と、この衛生洗浄装置本体７と一体に設けられている便座８と、衛生洗浄装置本体７に回動自在に設けられた便蓋９とを備えている。
【００２９】
そして、衛生洗浄装置本体７には、トイレブース２内の使用者を検知する人体検知手段として機能するセンサ１０を備えている。
【００３０】
このセンサ１０は、トイレブース２への使用者の入室を検知する入室検知手段として機能する入室センサと、使用者の衛生洗浄装置４への接近を検知する接近検知手段として機能する接近センサと、使用者の便座８への着座を検知する着座検知手段として機能する着座センサという３つのセンサにより構成されている。
【００３１】
ここで、入室センサは、人体などから発せられる赤外線を検出する焦電型赤外線センサを使用し、接近センサは、接近する使用者へ向けて所定波長の光を照射し、その光が使用者に反射した反射光を受光して、使用者が接近しているか否かを検出する赤外線センサにより構成している。
【００３２】
また、着座センサは、便座８に着座している使用者へ向けて所定波長の光を照射し、その光が使用者に反射した反射光を受光して、使用者が着座しているか否かを検出する赤外線センサにより構成している。
【００３３】
そして、この衛生洗浄装置４は、接近センサにより使用者の便器３への接近を検知すると、便蓋９を自動的に開放状態にすると共に、使用者を検知しなくなると便蓋９を自動的に閉塞状態とする便蓋自動開閉機能を備えている。
【００３４】
また、この衛生洗浄装置４は、使用者の局部を自動洗浄する局部洗浄機能を備えており、局部を洗浄する際には、図１に示す洗浄ノズル１１から洗浄水を使用者の局部へ向けて噴射することにより、局部洗浄を行うようにしている。
【００３５】
この他、この衛生洗浄装置４は、便座８表面の温度を使用者が快適と感じる温度となるように制御する便座暖房機能や、節電機能等、様々な機能を備えている。
【００３６】
特に、この衛生洗浄装置４は、衛生洗浄装置本体７の内部に、周辺機器に対して無線信号を送信する電波信号送信手段として機能する電波送信回路と、リモコン装置から送信される操作信号を受信する操作信号受信手段として機能する無線受信回路とを備えている。
【００３７】
そして、衛生洗浄装置４は、センサ１０による検知結果を示す人体検知無線信号を音情報再生装置５やトイレブース内の室内を暖房する室内暖房装置６やトイレブース内に設けられる手洗い用の電気温水器（図示せず）等の周辺機器へ送信することによって、周辺機器を作動させるように構成している。尚、図１に示す符号１２は、使用後の便器を洗浄するための洗浄水を貯留する貯水タンクであり、符号１２ａは、手動により便器３洗浄を行う際に操作する洗浄レバーである。
【００３８】
（衛生洗浄装置の電気的構成）
次に、衛生洗浄装置４の電気的構成について説明する。衛生洗浄装置４は、図２に示すように、ＣＰＵ５０と、ＲＯＭ５１と、ＲＡＭ５２と、無線リモコン受信ユニット５３と、局部洗浄ユニット５４と、便座暖房ユニット５５と、便蓋開閉ユニット５６と、無線送信ユニット５７と、入室センサ１０ａと、接近センサ１０ｂと、着座センサ１０ｃとを備えている。
【００３９】
そして、ＲＯＭ５１、ＲＡＭ５２、無線リモコン受信ユニット５３、局部洗浄ユニット５４、便座暖房ユニット５５、便蓋開閉ユニット５６、無線送信ユニット５７、入室センサ１０ａ、接近センサ１０ｂ、着座センサ１０ｃは、全てバスを介してＣＰＵ５０に接続している。
【００４０】
ＣＰＵ５０は、ＲＯＭ５１に記憶している各種プログラム読出して実行することにより、衛生洗浄装置４が備える各ユニット２３〜２７、及び、各センサ２８〜３０の動作を統括制御する演算処理装置である。
【００４１】
ＲＯＭ５１は、無線リモコン受信ユニット５３を動作させるための無線受信プログラム、局部洗浄ユニット５４を動作させるための局部洗浄プログラム、便座暖房ユニット５５を動作させるための便座暖房プログラム、便蓋開閉ユニット５６を動作させるための便蓋開閉プログラム、無線送信ユニット５７を動作させるための無線送信プログラム、入室センサ１０ａ、接近センサ１０ｂ、着座センサ１０ｃをそれぞれ動作させるためのセンサ動作プログラム等、ＣＰＵ５０が衛生洗浄装置４全体を統括制御するために実行する各種プログラムを記憶している記憶装置である。
【００４２】
ＲＡＭ５２は、ＣＰＵ５０がＲＯＭ５１から読出した各種プログラムを演算処理する際に、作業領域として用いる記憶装置である。
【００４３】
そして、本実施形態では、これらＣＰＵ５０とＲＯＭ５１とＲＡＭ５２とによって、衛生洗浄装置４全体の動作を統括制御する制御手段、及び、無線送信ユニット５７の動作を制御する送信制御手段として機能する制御部５０ａを構成している。
【００４４】
無線リモコン受信ユニット５３は、リモコン装置（図示せず）が衛生洗浄装置４の機能を遠隔制御するために送信する光信号からなる操作信号を受信（受光）する受光部と、この受光部により受光した光信号を電気信号に変換する光電変換回路とを備え、制御部５０ａが無線受信プログラムを実行することにより動作して操作信号を受信する操作信号受信手段として機能するものである。
【００４５】
そして、この無線リモコン受信ユニット５３は、電気信号に変換した操作信号をバスを介して制御部５０ａへ送信する。
【００４６】
この操作信号を受信した制御部５０ａは、受信した操作信号に対応したプログラムを実行することにより、使用者によるリモコン装置の操作に対応した機能を作動させる。
【００４７】
また、このとき制御部５０ａは、無線送信プログラムを実行することにより無線送信ユニット５７を動作させて、衛生洗浄装置の制御動作状態（たとえば、使用者が着座しているとか人体検知をしているとかの情報）に対応する電波による操作無線信号を、音情報再生装置５へ向けて送信させる。
【００４８】
局部洗浄ユニット５４は、洗浄水を所定の温度まで加熱する温水ヒータと、加熱した洗浄水を噴出するためのポンプ装置と、ポンプ装置が噴出させた洗浄水を使用者の局部へ向けて噴射させる洗浄ノズル１１とを備えている。
【００４９】
そして、この局部洗浄ユニット５４は、使用者がリモコン装置（図示せず）の「おしり」と書かれた操作スイッチを押圧操作したときに衛生洗浄装置４から送信される操作信号を無線リモコン受信ユニット５３により受信すると、制御部５０ａが局部洗浄プログラムを実行することにより動作して、使用者の局部を洗浄する。
【００５０】
その後、使用者がリモコン装置（図示せず）の「止」と書かれた操作スイッチを押圧操作すると、その操作に対応した操作信号をリモコン装置から受信して、動作を停止させる。
【００５１】
便座暖房ユニット５５は、便座８内部に設けた便座ヒータと、便座ヒータの温度を検知する便座温度センサと、便座ヒータへの通電量を制御する通電制御回路とを備えている。
【００５２】
そして、この便座暖房ユニット５５は、制御部５０ａが便座暖房プログラムを実行することにより動作して、通電制御回路が予め使用者により設定された便座温度となるように便座ヒータへの通電量を制御することにより、便座の表面温度を使用者が快適に感じる温度となるように暖房する。
【００５３】
便蓋開閉ユニット５６は、便座８と便蓋９とを同時に、又は、それぞれ個別に開閉動作させるモータを備えている。
【００５４】
そして、この便蓋開閉ユニット５６は、接近センサ１０ｂによって、使用者が便器３へ接近したことを検知すると、モータを駆動させて便蓋９を自動的に開放し、接近センサ１０ｂ又は着座センサ１０ｃが人体を検知しなくなってから所定時間が経過した後に、再度モータを駆動した便蓋を自動的に閉塞させる。
【００５５】
無線送信ユニット５７は、リモコン装置６へ向けて電波による無線信号を送信する無線送信回路を備えており、制御部５０ａが無線送信プログラムを実行することによって動作する。
【００５６】
そして、この無線送信ユニット５７は、無線信号を送信する際に、センサ１０による検知結果を示す人体検知無線信号、又は、衛生洗浄装置４から受信した操作信号に対応させた無線信号を所定時間繰り返し送信するようにしている。
【００５７】
（音情報再生装置の電気的構成）
ここで、図３に示す周辺機器の中で音情報再生装置５について説明する。ここでは、説明しないがトイレブース内の室内を暖房する室内暖房装置６や電気温水器（図示せず）等についても、無線受信ユニット４７を設けて、電波信号で制御する。
まず、音情報再生装置５において、情報表示ユニット４３は、文字情報を表示する液晶表示装置と、液晶表示装置を駆動する液晶表示装置駆動回路とを備え、制御部４０ａが情報表示プログラムを実行することにより動作して、液晶表示部に音情報再生装置５の設定状態等を示す文字情報を表示するものである。
【００５８】
つぎに、バッテリーユニット４５は、音情報再生装置５の電源として機能する電池と、電池からの電力Ｖｃｃを音情報再生装置５の制御部４０ａ、情報表示ユニット４３のそれぞれに供給する電力供給回路とにより構成している。
【００５９】
そして、ＲＯＭ４１、ＲＡＭ４２、情報表示ユニット４３、操作ボタンユニット４６、音情報出力ユニット４４、電波信号受信手段として機能する電波受信回路を有する無線受信ユニット４７は、全てバスを介してＣＰＵ４０に接続している。
【００６０】
ＣＰＵ４０は、ＲＯＭ４１に記憶している各種プログラムを読出して実行することにより、音情報再生装置５が備える情報表示ユニット４３及び音情報出力ユニット４４の動作を統括制御する演算処理装置である。
【００６１】
ＲＯＭ４１は、情報表示ユニット４３を動作させるための情報表示プログラム、無線受信ユニット４７を動作させるための無線送信プログラム等、ＣＰＵ４０が音情報再生装置５全体を統括制御するために実行する各種プログラムを記憶している記憶装置である。
【００６２】
ＲＡＭ４２は、ＣＰＵ４０がＲＯＭ４１から読出した各種プログラムを演算処理する際に、作業領域として用いる記憶装置である。
【００６３】
そして、本実施形態では、これらＣＰＵ４０とＲＯＭ４１とＲＡＭ４２とによって、音情報再生装置５全体の動作を統括制御する制御手段として機能する制御部４０ａを構成している。
【００６４】
情報表示ユニット４３は、文字情報を表示する液晶表示装置と、液晶表示装置を駆動する液晶表示装置駆動回路とを備え、制御部４０ａが情報表示プログラムを実行することにより動作して、液晶表示部に音情報再生装置５の動作設定状態等を示す文字情報を表示するものである。
【００６５】
バッテリーユニット４５は、音情報再生装置５の電源として機能する電池と、電池からの電力Ｖｃｃを音情報再生装置５の制御部４０ａ、情報表示ユニット４３、操作ボタンユニット４６、音情報出力ユニット４４、無線受信ユニット４７のそれぞれに供給する電力供給回路とにより構成している。
【００６６】
さらに、図４及び図５で、電波反射部材（アルミテープ）を設けたことについて説明する。衛生洗浄装置本体７には無線送信ユニット５７より放射された電波を反射させるアルミテープ４ａを備えており、アルミテープ４ａは衛生洗浄装置本体７の筐体に着脱可能なように貼り付けられている。アルミテープにすることで、製品を組立てた後に、貼り付けることができたり、また、剥がすことができる。
【００６７】
図４では、アルミテープ４ａは音情報再生装置５と相対しない面である本体背面に貼り付けられており、無線送信ユニット５７より衛生洗浄装置本体７の後方に放射された電波を衛生洗浄装置本体７の前方に反射させるような位置に配置されている。
【００６８】
図５では、アルミテープ４ａは音情報再生装置５と相対しない面である本体底面に貼り付けられており、無線送信ユニット５７より衛生洗浄装置本体７の下方に放射された電波を衛生洗浄装置本体７の前方に反射させるような位置に配置されている。
【００６９】
電波を反射させるアルミテープ４ａは、一般的に知られている八木アンテナ（登録商標）の反射効果を利用しており、反射効果を持たせる為には、アルミテープ４ａの長さを電波の波長λに対してλ／２以上の長さに設定すれば良く、さらにはアルミテープを貼り付ける衛生洗浄装置本体７の筐体の樹脂材料の誘電率により波長短縮がなされる為、波長短縮を考慮した波長λ’に対して、λ’／２以上の長さに設定されている。
波長短縮は、比誘電率εとした場合、λ’＝λ／√（ε）であらわされる。
【００７０】
ここで、無線送信ユニット５７は周波数３１１ＭＨｚの微弱無線電波信号を用いており、波長λはおおよそ１ｍとなる。さらに、アルミテープ４ａが貼り付けられる衛生洗浄装置本体７の比誘電率はおおよそ２．５であり、前述の式より計算すると短縮された波長λ’は０．６３ｍ程度になる。従って、反射効果を持たせる為に、λ’／２以上の長さ０．３３ｍに設定されている。ここで設定した長さは一例であって、反射効果を持たせる長さ以上であれば問題無い。また、テープ幅は数ｃｍであり、特に特性上の問題はない。また、テープの厚さは、０．１３ｍｍで片面に粘着面をもっている。
【００７１】
次に、定在波について説明する。一般的に電波は直進波と反射波により、定在波を形成する。定在波が発生するとλ／２にて電界が変化しないポイントが発生してしまう。本実施例のようなトイレ空間において電波信号を用いる場合、電波の直進波と壁等による反射波により定在波が形成される。定在波が発生すると、衛生洗浄装置本体７と音情報再生装置５の通信が正常にできなくなる様な電波信号の落ち込みを招く場所が発生する。
衛生洗浄装置本体７に貼り付けられるアルミテープ４ａは、無線送信ユニット５７より放射される電波を反射する効果を持たせている為、トイレ空間内の電界分布を変える効果がある。したがって、アルミテープ４ａを貼り付けた衛生洗浄装置本体７において、仮に、定在波による電波信号の落ち込みにより正常な通信が出来なかった場合でも、アルミテープ４ａを衛生洗浄装置本体７より取り去る事により、定在波の発生場所を動かす事ができるため、正常な通信を行うことができる。
また、逆に、アルミテープ４ａを貼り付けていない衛生洗浄装置本体７において、仮に、定在波による電波信号の落ち込みにより正常な通信が出来なかった場合でも、アルミテープ４ａを衛生洗浄装置本体７の背面あるいは底面に貼り付けることにより、定在波の発生場所を動かす事ができるため、正常な通信を行うことができる。
【００７２】
なお、本実施形態では周辺機器として、音情報再生装置について説明したが、トイレブースで使用する周辺機器とし、トイレブース内の室内を暖房する室内暖房装置６ほかに手洗い用の電気温水器（図示せず）などがある。これらの機器も電波受信部を設け、トイレ装置から送信される電波信号により制御されることでこのトイレ装置システムの発明の効果をうける。
また、電波反射部材としての具体例をアルミテープとしたが、電波の反射効果を有する他の部材を用いることができるのはもちろんである。
さらにまた、第１の装置をトイレ装置（衛生洗浄装置）、第２の装置を音情報再生装置として説明したが、第１の装置を電波信号を照射するリモコン装置、第２の装置をリモコン装置からの電波信号を受信して動作するトイレ装置（衛生洗浄装置）とすることもできる。この場合においては、アルミテープ（電波反射部材）４ａを、リモコン装置の背面に取り外し可能に備えておけばよい。
【図面の簡単な説明】
【００７３】
【図１】本実施形態に係るトイレ装置システムを採用したトイレブースを示す斜視図である。
【図２】トイレ装置（衛生洗浄装置）の電気的構成を示す機能ブロック図である。
【図３】音情報再生装置（周辺機器）の電気的構成を示す機能ブロック図である。
【図４】本発明の衛生洗浄装置の上面視図（ａ）、側面視図（ｂ）、背面視図（ｃ）である。
【図５】本発明の第二の実施例の衛生洗浄装置の上面視図（ａ）、側面視図（ｂ）、底面視図（ｃ）である。
【符号の説明】
【００７４】
１  トイレ装置システム
２  トイレブース
３  便器
４  衛生洗浄装置
４ａアルミテープ（電波反射部材）
５  音情報再生装置
７  衛生洗浄装置本体
８  便座
９  便蓋
１０  センサ
１０ａ  入室センサ
１０ｂ  接近センサ
１０ｃ  着座センサ
１１  洗浄ノズル
１２  貯水タンク
１２ａ  洗浄レバー
４０、５０  ＣＰＵ
４１、５１  ＲＯＭ
４２、５２  ＲＡＭ
４３  情報表示ユニット
４４  音情報出力ユニット
４５  バッテリーユニット
４６  操作ボタンユニット
４７  無線受信ユニット（電波信号受信手段）
４８  外部記憶装置接続ユニット
４９  外部記憶装置
５３  無線リモコン受信ユニット
５４  局部洗浄ユニット
５５  便座暖房ユニット
５６  便蓋開閉ユニット
５７  無線送信ユニット（電波信号送信手段）
【図１】
2009174190.tif 000003
【図２】
2009174190.tif 000004
【図３】
2009174190.tif 000005
【図４】
2009174190.tif 000006
【図５】
2009174190.tif 000007